(57)【要約】【課題】送信元の原稿に示された元の画像の印象を変えない画像を送信先の装置にて画像形成させるファクシミリ装置等の画像送信装置を提供する。【解決手段】画像送信装置１では、原稿に示された画像データとして送信すべき第１サイズを判定し（ステップＳ１４）、読み取った画像に基づく画像データの送信先の装置にて形成させる画像のサイズである第２サイズを判定し（ステップＳ１９）、第１サイズ及び第２サイズの大きさを比較し（ステップＳ２０）、比較により第２サイズが第１サイズより大きいと判定した場合（ステップＳ２０：ＹＥＳ）、送信すべき第１サイズの画像を第１サイズと同等の大きさで配置した第２サイズの画像の形成に用いる画像データを作成し（ステップＳ２２）、作成した画像データを送信先の装置へ送信する（ステップＳ２４）。【選択図】        図１８
2004343251.tif 000002
【特許請求の範囲】
【請求項１】
画像の形成に用いる画像データを他の装置へ送信する画像送信装置において、
画像データとして送信すべき画像のサイズである第１サイズを判定する手段と、
画像データの送信先の装置にて形成させる画像のサイズである第２サイズを判定する手段と、
前記第１サイズ及び第２サイズの大きさを比較する手段と、
該比較により、前記第２サイズが前記第１サイズより大きいと判定した場合に、前記送信すべき画像を同等の大きさで所定の位置に配置した第２サイズの画像の形成に用いる画像データを作成する画像データ作成手段と
を備えることを特徴とする画像送信装置。
【請求項２】
画像の形成に用いる画像データを他の装置へ送信する画像送信装置において、
第１サイズのシートから、送信すべき第１サイズの画像を読み取る読取手段と、
画像データの送信先の装置にて形成させる画像のサイズである第２サイズを判定する送信先サイズ判定手段と、
前記第１サイズ及び第２サイズの大きさを比較する手段と、
該比較により、前記第２サイズが前記第１サイズより大きいと判定した場合に、前記送信すべき画像を同等の大きさで所定の位置に配置した第２サイズの画像の形成に用いる画像データを作成する画像データ作成手段と
を備えることを特徴とする画像送信装置。
【請求項３】
前記読取手段は、複数のシートの夫々から前記送信すべき画像を読み取るべくなしてあり、
読み取った前記複数のシートの中で最も大きいシートのサイズを判定する手段を更に備え、
前記送信先サイズ判定手段は、最も大きいと判定したシートのサイズを第２サイズと判定すべくなしてある
ことを特徴とする請求項２に記載の画像送信装置。
【請求項４】
前記送信すべき画像を配置する所定の位置を決定する手段を更に備えることを特徴とする請求項１乃至請求項３のいずれかひとつに記載の画像送信装置。
【請求項５】
前記画像データ作成手段は、前記送信すべき画像を配置する箇所以外を所定の模様又は色彩とする第２サイズの画像の形成に用いる画像データを作成すべくなしてあることを特徴とする請求項１乃至請求項４のいずれかひとつに記載の画像送信装置。
【請求項６】
前記画像データ作成手段は、前記送信すべき画像を配置する箇所及び他の箇所の境界を示した第２サイズの画像の形成に用いる画像データを作成すべくなしてあることを特徴とする請求項１乃至請求項５のいずれかひとつに記載の画像送信装置。
【発明の詳細な説明】
【０００１】
【発明の属する技術分野】
本発明は、画像の形成に用いる画像データを他の装置へ送信するファクシミリ装置等の画像送信装置に関し、特に第１サイズのシートから画像を読み取り、第１サイズと異なる第２サイズのシートに画像を形成させる画像データを送信する画像送信装置に関する。
【０００２】
【従来の技術】
原稿に示された画像をスキャナ等の読取手段にて読み取り、読み取った画像に基づく画像データを作成し、作成した画像データを他の装置へ送信するファクシミリ装置等の画像送信装置が普及している。
ファクシミリ装置等の画像送信装置では、電話回線網を介して送信先のファクシミリ装置等の装置へ画像データを送信する形態で発展してきたが、最近ではインターネット等のデータ通信網を介して画像データを送信するインターネットファクシミリ等の機能が搭載されてきている。
またデジタル複写機の市場においても、ファクシミリ機能及びプリンタ機能等の様々な機能との複合化が進み、更にはＬＡＮ及びインターネット等の通信環境下に設置され、ネットワークプリンタ機能、ネットワークスキャナ機能及びインターネットファクシミリ機能等の様々な機能を備えるデジタル複合機として提供されている。
そして画像送信装置の本来の機能である画像データの送信についても、様々な機能が搭載されてきている。
【０００３】
画像送信装置に搭載されている画像データの送信に関する機能の一つとして、シートに示された画像を読み取り作成した画像データを他の装置へ送信する場合に、送信先となる装置との間の通信を確立し、送信先となる装置からの応答に基づいて画像データの受信可能サイズを判別し、判別した受信可能サイズに基づいて、読み取った画像を自動的に拡大又は縮小した画像データを作成するという機能が挙げられる（例えば特許文献１参照。）。
【０００４】
なおネットワークスキャナ機能及びインターネットファクシミリ機能を搭載した画像送信装置においては、読み取った原稿のサイズの画像データをそのまま送信先の装置へ送信している（例えば特許文献２参照。）。
【０００５】
【特許文献１】
特開昭６２−２１６４７５号公報
【０００６】
【特許文献２】
特開２００２−４１５５２号公報
【０００７】
【発明が解決しようとする課題】
しかしながら特許文献１に示した従来の装置では、画像データを受信した装置に応じて自動的に画像を拡大又は縮小すべく画像データを変形させるため、例えば画像が拡大された場合には、原稿に示された元の画像との印象が異なる画像が形成されるという問題があり、このため送信者の意図が受信者に十分に伝わらない可能性があるという問題をも含んでいる。
【０００８】
また特許文献２に示した従来の装置では、サイズが異なる複数のシートに示された夫々の画像を読み取って送信する場合に、送信先の装置では異なるサイズで画像形成されるため、形成された画像の管理等の取り扱いが不便であるという問題がある。
【０００９】
本発明は斯かる事情に鑑みてなされたものであり、第１サイズのシートから読み取った送信すべき第１サイズの画像と送信先の装置にて形成させる画像のサイズである第２サイズとを比較して、第２サイズが第１サイズより大きいと判定した場合に、送信すべき画像を同等の大きさで中央等の所定の位置に配置した第２サイズの画像の形成に用いる画像データを作成し、作成した画像データを送信することにより、画像データの送信先の装置では、画像が拡大されることがないので、原稿である第１サイズのシートに示された元の画像の印象を変えない画像を送信先の装置にて画像形成することが可能な画像送信装置の提供を主たる目的とする。
【００１０】
また本発明では、サイズの異なる複数のシートに示された夫々の画像に基づく画像データを送信する場合に、複数のシートの中で最も大きいサイズのシートに統一した画像データを作成し、作成した画像データを送信することにより、画像データの送信先の装置にて形成される画像のサイズが統一されるので、形成された画像の管理等の取り扱いに関する利便性を向上させることが可能な画像送信装置の提供を他の目的とする。
【００１１】
【課題を解決するための手段】
本発明の画像送信装置は、画像の形成に用いる画像データを他の装置へ送信する画像送信装置において、画像データとして送信すべき画像のサイズである第１サイズを判定する手段と、画像データの送信先の装置にて形成させる画像のサイズである第２サイズを判定する手段と、前記第１サイズ及び第２サイズの大きさを比較する手段と、該比較により、前記第２サイズが前記第１サイズより大きいと判定した場合に、前記送信すべき画像を同等の大きさで所定の位置に配置した第２サイズの画像の形成に用いる画像データを作成する画像データ作成手段とを備えることを特徴とする。
【００１２】
本発明の画像送信装置では、送信先の装置にて形成させる画像のサイズである第２サイズが、送信すべき画像のサイズである第１サイズより大きいと判定した場合に、送信すべき画像を変形するのではなく、送信すべき画像を同等の大きさで所定の位置に配置した第２サイズの画像を形成させる画像データを作成し、送信先の装置へ送信することにより、画像データの送信先の装置では受信した画像データに基づいて形成される画像中に配置された第１サイズの画像が元の画像と同様であるため、元の画像の印象を変えない画像を送信先の装置にて画像形成することが可能である。
【００１３】
本発明の画像送信装置は、画像の形成に用いる画像データを他の装置へ送信する画像送信装置において、第１サイズのシートから、送信すべき第１サイズの画像を読み取る読取手段と、画像データの送信先の装置にて形成させる画像のサイズである第２サイズを判定する送信先サイズ判定手段と、前記第１サイズ及び第２サイズの大きさを比較する手段と、該比較により、前記第２サイズが前記第１サイズより大きいと判定した場合に、前記送信すべき画像を同等の大きさで所定の位置に配置した第２サイズの画像の形成に用いる画像データを作成する画像データ作成手段とを備えることを特徴とする。
【００１４】
本発明の画像送信装置では、例えばＡ４版である第１サイズのシートから送信すべき第１サイズの画像を読み取り、第１サイズより大きいＢ４版である第２サイズのシートに画像形成させるための画像データを送信する場合に、第１サイズの画像を拡大した画像データの送信、又は送信先の装置にて画像サイズの拡大を行うのではなく、第１サイズの画像と同等の大きさの画像を配置した第２サイズの画像、例えばＢ４版のシートの中央部にＡ４版の大きさの画像が示された画像を形成する画像データを作成し、送信先の装置へ送信することにより、画像データの送信先の装置では、受信した画像データに基づいて形成される画像中に含まれる元の画像に対応する画像の大きさが元の画像と同様であるため、元の画像の印象を変えない画像を送信先の装置にて画像形成することが可能である。
【００１５】
本発明の画像送信装置は、前記読取手段は、複数のシートの夫々から前記送信すべき画像を読み取るべくなしてあり、読み取った前記複数のシートの中で最も大きいシートのサイズを判定する手段を更に備え、前記送信先サイズ判定手段は、最も大きいと判定したシートのサイズを第２サイズと判定すべくなしてあることを特徴とする。
【００１６】
本発明の画像送信装置では、Ａ４版、Ａ３版及びＢ４版等のサイズの異なる複数のシートに示された夫々の画像を読み取って画像データとして送信する場合に、最も大きいサイズ、例えばＡ３版を送信先の装置にて画像形成させる第２サイズであると判定し、判定した第２サイズに統一された画像データを形成し、送信先の装置へ送信することにより、画像データの送信先の装置にて形成される画像のサイズが統一されるので、形成された画像の管理等の取り扱いに関する利便性を向上させることが可能である。
【００１７】
本発明の画像送信装置は、前記送信すべき画像を配置する所定の位置を決定する手段を更に備えることを特徴とする。
【００１８】
本発明の画像送信装置では、第１画像に対応する画像を配置する位置を、中央部、右揃え及び左右交互等の任意の位置に決定することにより、画像が形成されたシートの綴じ方等の形成された画像の管理方法に応じた適切な画像データを作成することが可能である。
【００１９】
本発明の画像送信装置は、前記画像データ作成手段は、前記送信すべき画像を配置する箇所以外を所定の模様又は色彩とする第２サイズの画像の形成に用いる画像データを作成すべくなしてあることを特徴とする。
【００２０】
本発明の画像送信装置では、送信元の画像に対応する画像以外の箇所を、白色等の所定の模様又は色彩とした第２サイズの画像を形成させる画像データを作成させることにより、送信先の装置にて形成された画像を見易くすることが可能である。
【００２１】
本発明の画像送信装置は、前記画像データ作成手段は、前記送信すべき画像を配置する箇所及び他の箇所の境界を示した第２サイズの画像の形成に用いる画像データを作成すべくなしてあることを特徴とする。
【００２２】
本発明の画像送信装置では、送信元の画像に対応する箇所及びそれ以外の箇所の境界を点線等の方法にて示すことにより、元の画像に対応する箇所と余白であるそれ以外との箇所の境界が明確になるので、送信先の装置にて形成された画像を見易くすることが可能である。
【００２３】
【発明の実施の形態】
以下、本発明をその実施の形態を示す図面に基づいて詳述する。
図１は本発明の画像送信装置の外観を示す斜視図である。
図１中１はファクシミリ装置及びインターネットファクシミリ装置等の本発明の画像送信装置であり、画像送信装置１は直方体状をなしており、画像送信装置１の上部には、原稿台２が配設され、原稿台２は、原稿を載置する載置トレイ２１を有する板状をなし一端を開閉自在に枢支された開閉蓋２２を備え、開閉蓋２２により、載置トレイ２１に載置された原稿が送出されるガラス面が覆われている。
なお載置トレイ２１には原稿として載置されたシートのサイズを検出する図示しないサイズ検出部を備えている。
また画像送信装置１の上面における原稿台２の前方には、画像送信装置１を操作するためのインターフェースである操作部３が配設されている。
そして画像送信装置１の中央部から下部には、自らが作成した画像データ又は外部から受信した画像データに基づく出力処理として画像を形成させるためのコピー用紙等のシートを収容する給紙カセット４、４、…が、配設されている。
さらに画像送信装置１の左方には、画像が形成されたシートを排出する排出部５が配設されている。
また画像送信装置１の背面にはＬＡＮ（Ｌｏｃａｌ  Ａｒｅａ  Ｎｅｔｗｏｒｋ）、インターネット及び電話回線網等の通信網に接続する通信部（図示せず）が設けられており、通信網を介してパーソナルコンピュータ等の外部の装置と画像データの送受信等の通信を行う。
【００２４】
図２は本発明の画像送信装置１が備える操作部３を示す外観図である。
操作部３の中央付近には、操作者の操作を受け付ける透明なタッチパネル等の入力部及びドットマトリックスタイプの液晶パネル等の表示部を組み合わせた入出力インターフェースである液晶表示部３１を有し、液晶表示部３１は、情報を表示することで操作者に対して情報を伝達し、また表示される画像により示される箇所を操作者が触れることで、画像送信装置１は操作を受け付ける。
液晶表示部３１の右方には、ファクシミリ番号等の数値を入力するための数字キー３２が配設されており、数字キー３２の右方上部には、実行中の処理を一時中断して他の処理を行うための割込キー３３が配設されており、また数字キー３２の右方下部には、液晶表示部３１に表示される数値のクリア及び処理の中断を行わせるためのクリアキー３４が配設されている。
さらに割込キー３３の右方には、操作者が入力した各種設定を標準状態の設定に戻すための全解除キー３５が配設されており、全解除キー３５の下方には、送信処理等の処理を開始させるためのスタートキー３６が配設されている。
また液晶表示部３１の左方には、プリンタ機能を呼び出すための切替キー３７ａ、ファクシミリ（ファクス）等の画像データを送信する画像送信機能を呼び出すための切替キー３７ｂ及び複写（コピー）機能を呼び出すための切替キー３７ｃ並びに各種設定に用いられるユーザ設定キー３８が配設されている。
【００２５】
図３は本発明の画像送信装置１を用いた画像送信システムの構成を示すブロック図である。
画像送信システムは、本発明の画像送信装置１を備え、画像送信装置１はＬＡＮ（Ｌｏｃａｌ  Ａｒｅａ  Ｎｅｔｗｏｒｋ）、インターネット及び電話回線網等の通信網ＮＷに接続されており、通信網ＮＷには、画像送信装置１から送信される画像データの送信先となる外部の装置としてファクシミリ装置及びパーソナルコンピュータ等の画像受信装置２、２、…が接続されている。
画像送信装置１は、装置全体を制御するＣＰＵ等の機器制御部１０１及び機器制御部１０１により制御される各構成部に関する情報を管理する管理部１０２を備えており、機器制御部１０１は、管理部１０２に記録されている情報に基づいて装置全体を制御することにより、画像送信装置１はファクシミリ装置及びインターネットファクシミリ装置等の画像送信装置１として機能する。
【００２６】
本発明の画像送信装置１は、原稿台１に載置された送信用の原稿となるシートに示された画像を読み取るＣＣＤ（Ｃｈａｒｇｅ  Ｃｏｕｐｌｅｄ  Ｄｅｖｉｃｅ）  等の読取素子１０３ａ及び読取素子１０３ａにより読み取る画像が示されている原稿のサイズを判定する原稿サイズ検出部１０３ｂを有する原稿読取部１０３を備え、原稿読取部１０３の処理により読み取った画像は、読取データとして画像形成部１０４へ送られる。
画像形成部１０４は、画像読取部１０３から受け付けた読取データに基づいて画像形成及び送信等の出力形式の画像データを作成し、また作成した出力形式の画像データを一時的に記憶するフラッシュメモリ等の揮発性記録部１０４ａを有しており、揮発性記録部１０４ａに記憶された出力形式の画像データは、ハードディスクを用いた不揮発性記録部１０５へ送られ、不揮発性記録部１０５では画像読取部１０３から受け付けた画像データを記録する。
なお複数枚の原稿を読み取る場合には、揮発性記録部１０４ａ上への出力形式の画像データの作成及び不揮発性記録部１０５への記録を繰り返すことにより、不揮発性記録部１０５に複数枚分の出力形式の画像データを蓄積する。
また不揮発性記録部１０５に記録された画像データは必要に応じて画像形成部１０４へ送られ、画像形成部１０４では不揮発性記録部１０５から受け付けた画像データを揮発性記録部１０４ａに記憶する。
また画像形成部１０４は、揮発性記録部１０４ａに記憶された画像データに基づいてシート上に画像形成して出力させる印字部１０４ｂ並びに給紙カセット４、４、…に収容されたシートの有無及びサイズ等のシートに関する情報を検出するシート検出部１０４ｃを有している。
【００２７】
さらに画像送信装置１は、通信網ＮＷに接続する通信部１０６を備えており、揮発性記録部１０４ａに記憶された画像データは通信部１０６から通信網ＮＷを介して画像受信装置２へ送信され、また通信部１０６にて受信した画像データは画像形成部１０４へ送られ、画像形成部１０４が有する揮発性記録部１０４ａに記憶され、画像形成部１０４では印字部１０４ｂに記憶した画像データに基づいて印字部１０４ｂによりシート上に画像を形成し出力する。
また画像送信装置１は、液晶表示部３１を含む操作部３を制御する入出力制御部１０７として入力制御部１０７ａ及び表示制御部１０７ｂを備えている。
【００２８】
次に本発明の画像送信装置１の液晶表示部３１に表示される画面及び処理について説明する。
図４は本発明の画像送信装置１の液晶表示部３１に表示される画面を示す説明図である。
液晶表示部３１には初期画面として、コピー機能に関する画面が表示されているが、画像送信機能を呼び出す切替キー３７ｂを押下することにより、図４に示すファクシミリによる画像データ送信のための画面が表示される。
図４に示す様にファクシミリによる画像データの送信のための画面には、濃度、画質及び原稿サイズ等の送信する画像データの設定に用いられる画像、オンフック及び再送信等の送信操作に用いられる画像、送信先を示すアドレス帳を呼び出す画像、並びに宛先一覧、特別機能、ファイリング、自動一時保存及びサブアドレス等の画像送信に関する各種機能を示す画像が示されている。
また画像送信に関する他のモードを呼び出すためのモード切替キーを示す画像が示されており、モード切替キーには現在のモードがファクシミリであることが示されている。
【００２９】
図５は本発明の画像送信装置１の液晶表示部３１に表示される画面を示す説明図である。
画像送信機能を呼び出す切替キー３７ｂを２回連続して押下することにより、またはモード切替キーを示す画像に触れてモードを切り替えることにより、図５に示す電子メール又はＦＴＰ（Ｆｉｌｅ  Ｔｒａｎｓｆｅｒ  Ｐｒｏｔｏｃｏｌ）による画像データの送信のための画面が表示される。
図５に示す様に電子メール又はＦＴＰによる送信のための画面には、濃度、解像度、フォーマット及び原稿サイズ等の送信する画像データの設定に用いられる画像、再送信等の送信操作に用いられる画像、モード切替キーを示す画像、送信先を示すアドレス帳を呼び出す画像、アドレスを直接入力するための画面を呼び出すための画像、並びに宛先一覧、特別機能、ファイリング、自動一時保存及び詳細設定等の画像送信に関する各種機能を示す画像が示されている。
【００３０】
図６は本発明の画像送信装置１の液晶表示部３１に表示される画面を示す説明図である。
画像送信機能を呼び出す切替キー３７ｂを３回連続して押下することにより、またはモード切替キーを示す画像に触れてモードを切り替えることにより、図６に示すインターネットファクシミリによる画像データの送信のための画面が示される。
図６に示す様にインターネットファクシミリによる画像データの送信のための画面には、濃度、画質及び原稿サイズ等の送信する画像データの設定に用いられる画像、再送信等の送信操作に用いられる画像、モード切替キーを示す画像、送信先を示す送信先情報を記録したアドレス帳を呼び出す画像、アドレスを直接入力するための画面を呼び出すための画像、並びに宛先一覧、特別機能、ファイリング、自動一時保存及び詳細設定等の画像送信に関する各種機能を示す画像が示されている。
【００３１】
図７は本発明の画像送信装置１の液晶表示部３１に表示される画面を示す説明図である。
図４、図５及び図６に示された状態から濃度の設定に用いられる画像に触れることにより、図７に示す濃度設定の画面が示される。
図７に示す様に濃度の設定には自動と手動とが有り、自動と示された画像に触れることにより、自動的に濃度設定が行われ、また手動と示された画像に触れることにより、数段階に分級された濃度を設定することが可能であり、ＯＫと示された画像に触れることにより濃度の設定が完了する。
【００３２】
図８は本発明の画像送信装置１の液晶表示部３１に表示される画面を示す説明図である。
図５に示された状態から解像度の設定に用いられる画像に触れることにより、図８に示す解像度設定の画面が示される。
図８に示す様に解像度の設定は、２００×１００、２００×２００、２００×４００、４００×４００及び６００×４００の中から所望する解像度を示す画像に触れることにより、解像度を設定することが可能であり、ＯＫと示された画像に触れることにより解像度の設定が完了する。
【００３３】
図９は本発明の画像送信装置１の液晶表示部３１に表示される画面を示す説明図である。
図５に示された状態からフォーマットを示す画像に触れることにより、図９に示す電子メール又はＦＴＰにより送信するファイルの形式及び圧縮形式を設定するフォーマット設定の画面が示される。
図９に示す様に送信するファイルの形式は、ＰＤＦ、ＴＩＦＦ及びＴＩＦＦ−Ｔの中から所望するファイルの形式を示す画像に触れることにより、送信するファイルの形式を設定することが可能であり、複数の宛先に夫々異なる形式で送信する場合には、宛先毎設定と示された画像に触れることにより、宛先毎にファイルの形式を設定することができる。
また圧縮形式は、圧縮無し、ＭＨ（Ｇ３）及びＭＭＲ（Ｇ４）の中から所望する圧縮形式を示す画像に触れることにより、圧縮形式を設定することが可能であり、複数の宛先に夫々異なる圧縮形式で送信する場合には、宛先毎設定と示された画像に触れることにより、宛先毎に圧縮形式を設定することができる。
また複数の画像を送信する場合に、ページ毎にファイル化すると示された画像に触れることにより、夫々の画像を異なるファイルとした画像データを作成し、送信することができる。
【００３４】
図１０は本発明の画像送信装置１の液晶表示部３１に表示される画面を示す説明図である。
図５に示された状態から原稿サイズと示された画像に触れることにより、図１０に「読取」として示された送信すべき画像のサイズ（第１サイズ）及び「送信」として示された送信先の装置にて形成させる画像のサイズ（第２サイズ）の設定、並びに送信形式の設定の画面が示される。
送信すべき画像のサイズである第１サイズとは、読取原稿のサイズを示し、図１０に示す例では自動となっているため、画像の読取時に自動的に原稿のサイズが検出され、検出された原稿のサイズが第１サイズとなる。
送信先の装置にて形成させる画像のサイズである第２サイズとは、送信先の装置から出力させる画像のサイズを示し、図１０に示す例では自動となっているため、第１サイズと同等の大きさのサイズになる。
ここでいう送信形式とは、両面原稿横綴じ、両面原稿縦綴じ及び済スタンプ等の形式であり、これらの画像に触れることにより、送信先の装置にて指定された形式で加工した画像を形成させることが可能となる。
【００３５】
図１１は本発明の画像送信装置１の液晶表示部３１に表示される画面を示す説明図である。
図１０に示された状態から読取原稿のサイズについて自動と示された画像に触れることにより、図１１に示す画像が示される。
図１１では原稿のサイズを自動又は手動から選択するための画像、そして手動を選択した場合に読取原稿のサイズとなる第１サイズを選択するための画像が示されている。
手動で選択する第１サイズとしてはＡ５版、Ａ５Ｒ版（Ａ５版の縦置き）、Ｂ５版、Ｂ５Ｒ版（Ｂ５版の縦置き）、Ａ４版、Ａ４Ｒ版（Ａ４版の縦置き）、Ｂ４版及びＡ３版がある。
なおインチサイズで示されるＡＢ版以外の規格に基づくサイズを指定することも可能である。
そして手動を選択した場合には、ＯＫと示された画像に触れることにより第１サイズの設定が完了する。
【００３６】
図１２は本発明の画像送信装置１の液晶表示部３１に表示される画面を示す説明図である。
図１０に示された状態から送信先の装置にて形成させる画像のサイズについて自動と示された画像に触れることにより、図１２に示す画像が示される。
図１２では原稿のサイズを自動又は手動から選択するための画像、そして手動を選択した場合に送信先の装置にて形成させる画像のサイズとなる第２サイズを選択するための画像が示されている。
手動で選択する第１サイズとしてはＡ５版、Ａ５Ｒ版、Ｂ５版、Ｂ５Ｒ版、Ａ４版、Ａ４Ｒ版、Ｂ４版及びＡ３版がある。
なおインチサイズで示されるＡＢ版以外の規格に基づくサイズを指定することも可能である。
そして手動を選択した場合には、ＯＫと示された画像に触れることにより第２サイズの設定が完了する。
【００３７】
図１３は本発明の画像送信装置１の液晶表示部３１に表示される画面を示す説明図である。
図１１又は図１２に示された状態から自動を選択することにより、又は手動を選択しＯＫと示された画像に触れることにより、図１３に示す画像が示される。
図１３に示す例では、第１サイズが自動でＡ４版に設定され、第２サイズが手動でＡ３版に設定されたことが示されており、第１サイズより第２サイズが大きいため、送信形式として画像位置、背景及び境界と示された画像が新たに示されている。
【００３８】
画像位置と示された画像に触れることにより、第２サイズのシートに配置される画像の位置を設定することが可能となる。
図１４は本発明の画像送信装置１にて生成される画像データに基づいて形成される第２サイズの画像を示す説明図である。
図１４（ａ）は、第２サイズのシート１００の中央に、第１サイズのシートから読み取った画像を画像１０１として配置した状態を示している。
第２サイズのシート１００に、第２サイズより小さい第１サイズのシートから読み取った画像を配置する場合、本発明の画像送信装置１では、読み取った画像を拡大するのではなく、読み取った画像と同等の大きさの画像１０１を所定の位置、図１４（ａ）に示す例では中央に配置することにより、元の画像の印象を変えずに送信先の装置にて画像１０１を形成させることができる。
なおここでいう同等の大きさとは、原則として同一の大きさを示すが、綴じ代及び機台差等の理由により元の画像と若干の差異を有する大きさをも含む。
図１４（ｂ）は、第２サイズのシートの左方に、第１サイズのシートから読み取った画像を画像１０１として配置した状態を示している。
図１４（ａ）及び図１４（ｂ）に示す様に、本発明の画像送信装置１では、送信形式として読み取った画像を配置する位置を操作者の操作により設定することが可能である。
【００３９】
背景と示された画像に触れることにより、第２サイズのシートに配置される画像の背景の模様又は色彩を設定することが可能である。
図１５は本発明の画像送信装置１にて生成される画像データに基づいて形成される第２サイズの画像を示す説明図である。
図１５（ａ）は、第２サイズのシート１００において、画像１０１が配置されている箇所以外の箇所１０２（以降背景１０２という）を白色の色彩にて示した状態を示している。
背景１０２として示す色彩は、図１５（ａ）に示す白色及び黒色等の無彩色だけでなく、水色及び薄桃色等の有彩色を用いても良く、例えばモノクロームの画像に対しては無彩色を用い、カラーの画像に対しては有彩色を用いるというように設定することが可能である。
図１５（ｂ）は、第２サイズのシート１００において、画像１０１が配置されている箇所以外の背景１０２を格子模様にて示した状態を示している。
図１５（ｂ）に示す様に背景１０２としては、色彩だけでなく模様を示すことも可能であり、図１５（ｂ）に例示した格子模様だけでなく、花柄模様及び社章等の模様を示すことも可能である。
図１５（ａ）及び図１５（ｂ）に示す様に、第２サイズのシート１００にて画像１０１が配置されている箇所以外の背景１０２に色彩又は模様を操作者の操作により設定することが可能であり、これにより第２サイズのシート１００に形成される画像を見易くするという効果を奏する。
【００４０】
境界と示された画像に触れることにより、第２サイズのシートに配置される画像の境界を明確に示すように設定することが可能である。
図１６は、本発明の画像送信装置１にて生成される画像データに基づいて形成される第２サイズの画像を示す説明図である。
図１６は、第２サイズのシート１００において画像１０１が配置されている箇所と背景１０２との境界を境界線１０３として点線により示した状態を示している。
境界線１０３としては、図１６に示す点線以外にも、直線、太線、二重線及び一点鎖線等の様々な線を用いることが可能であり、更には一般的な線ではないが境界を示すことが可能な「＊」等の所定の符号又は符号列の繰り返し、並びに線状に図案化した動植物等の図柄を境界線１０３として用いてもよい。
図１６に示す様に、第２サイズのシート１００にて画像１０１が配置されている箇所及び余白となる箇所である背景１０２との境界を操作者の操作により境界線１０３にて設定することが可能であり、境界線１０３にて画像１０１及び背景１０２の境界を明確にすることにより、第２サイズのシート１００に形成される画像を見易くするという効果を奏する。
【００４１】
次に本発明の画像送信装置１の処理について説明する。
図１７及び図１８は本発明の画像送信装置１の処理を示すフローチャートである。
画像送信装置１では、機器制御部１０１の制御により、載置トレイ２１に原稿としてシートが載置されているか否かを判別し（ステップＳ１）、シートが載置されていると判定した場合（ステップＳ１：ＹＥＳ）、載置トレイ２１が備えるサイズ検出部により、載置トレイ２１に載置されたシートのサイズを検出する（ステップＳ２）。
ステップＳ１において、載置トレイ２１にシートが載置されていないと判定した場合（ステップＳ１：ＮＯ）、液晶表示部３１に原稿の載置を要求するメッセージを表示して（ステップＳ３）、ステップＳ１に戻り、以降の処理を繰り返す。
なお載置トレイ２１にシートが載置されない状態が所定時間続くと、画像送信装置１は待機モードとなる。
【００４２】
画像送信装置１では、機器制御部１０１の制御により、画像データの送信先となる画像受信装置２に関するファクシミリ番号及び電子メールアドレス等の送信先情報の入力を受け付けたか否かの判定を行い（ステップＳ４）、液晶表示部３１及び数字キー３２等の操作部３から送信先情報の入力を受け付けたと判定した場合（ステップＳ４：ＹＥＳ）、受け付けた送信先情報を送信先として設定する（ステップＳ５）。
なおステップＳ４において送信先情報の入力を受け付けていないと判定した場合（ステップＳ４：ＮＯ）、ステップＳ４に戻り、以降の処理を繰り返す。
【００４３】
画像送信装置１では、機器制御部１０１の制御により、サイズ及び／又は送信形式の入力を受け付けたか否かの判定を行い（ステップＳ６）、操作部３からサイズ及び／又は送信形式の入力を受け付けたと判定した場合（ステップＳ６：ＹＥＳ）、受け付けたサイズ及び／又は送信形式を送信する画像データの形式として設定する（ステップＳ７）。
なおステップＳ７にて設定するサイズとは、送信すべき画像のサイズである第１サイズ及び送信先の装置にて形成させる画像のサイズである第２サイズの両方又はいずれか一方を示す。
ステップＳ６においてサイズ及び送信形式のいずれの入力も受け付けていないと判定した場合（ステップＳ６：ＮＯ）、ステップＳ７に示す画像データ形式設定処理は行わない。
【００４４】
画像送信装置１では、機器制御部１０１の制御により、画像データ作成指示の入力を受け付けたか否かの判定を行い（ステップＳ８）、スタートキー３６の押下による画像データ作成指示の入力を受け付けていると判定した場合（ステップＳ８：ＹＥＳ）、載置トレイ２１に載置されたシートを原稿台１へ送出する（ステップＳ９）。
なおステップＳ９における送出は、載置トレイ２１に複数のシートが載置されている場合であっても一枚ずつ行われる。
また載置トレイ２１に原稿となるシートを載置するのではなく、原稿台１に直接シートを載置するようにしても良い。
ステップＳ８において画像データ作成指示の入力を受け付けていないと判定した場合（ステップＳ８：ＮＯ）、ステップＳ６に戻り以降の処理を繰り返す。
【００４５】
画像送信装置１では、機器制御部１０１の制御により、原稿台１へ送出されたシートのサイズを原稿サイズ検出部１０３ｂにより検出し（ステップＳ１０）、原稿サイズ検出部１０３ｂにより検出したシートのサイズとステップＳ２にて検出したサイズとが一致するか否かを判定し（ステップＳ１１）、サイズが一致しないと判定した場合（ステップＳ１１：ＮＯ）、シートのサイズの入力を要求する情報を液晶表示部３１に表示し（ステップＳ１２）、要求に対して入力されたシートのサイズを示す情報を受け付ける（ステップＳ１３）。
ステップＳ１１による判定は、サイズの異なる複数枚のシートの載置及びシートの折れ等の理由によりシートのサイズを誤検出しているか否かを判定するために行われる。
ステップＳ１１にてサイズが一致したと判定した場合（ステップＳ１１：ＹＥＳ）、ステップＳ１２〜Ｓ１３に示す処理は行われない。
【００４６】
そして画像送信装置１では、機器制御部１０１の制御により、画像データとして送信すべき第１サイズを判定し（ステップＳ１４）、判定した第１サイズのシートから、送信すべき第１サイズの画像を読取素子１０３ａにより読み取り（ステップＳ１５）、載置トレイ２１に載置された全てのシートについて読み取りが完了したか否かを判定し（ステップＳ１６）、読み取りが完了していないシートが有ると判定した場合（ステップＳ１６：ＮＯ）、ステップＳ９へ戻り、以降の処理を繰り返す。
なお読み取られた画像は読取データとして画像形成部１０４へ送られる。
ステップＳ１４での判定においては、ステップＳ７において第１サイズの入力を受け付け設定している場合には、設定されている第１サイズを送信すべき第１サイズとして判定し、ステップＳ７において第１サイズの入力を受け付けていない場合で、ステップＳ１１にてサイズが一致していると判定したときには、ステップＳ９にて検出したサイズを第１サイズとして判定し、ステップＳ７において第１サイズの入力を受け付けていない場合で、ステップＳ１１にてサイズが一致していないと判定したときには、ステップＳ１３にて受け付けたサイズを第１サイズとして判定する。
【００４７】
ステップＳ１６において、載置トレイ２１に載置された全てのシートに対して読み取りが完了したと判定した場合（ステップＳ１６：ＹＥＳ）、画像送信装置１では、機器制御部１０１の制御により、原稿として画像を読み取ったシートが複数であるか否かを判定し（ステップＳ１７）、複数であると判定したとき（ステップＳ１７：ＹＥＳ）、読み取った複数のシートの中で最も大きいシートのサイズを判定する（ステップＳ１８）。
例えば読み取った複数のシートのサイズが統一されており、それらが全てＡ４版である場合には、Ａ４版を最も大きシートのサイズとして判定し、複数のシートのサイズが統一されておらずＡ３版、Ａ４版及びＢ４版が含まれている場合には、Ａ３版を最も大きいシートのサイズとして判定する。
ステップＳ１７にて原稿として画像を読み取ったシートが単数であると判定したとき（ステップＳ１７：ＮＯ）、ステップＳ１８に示す処理は行われない。
【００４８】
そして画像送信装置１では、機器制御部１０１の制御により、読み取った画像に基づく画像データの送信先の装置、ここでは画像受信装置２にて形成させる画像のサイズである第２サイズを判定する（ステップＳ１９）。
ステップＳ１９での判定においては、ステップＳ７において第１サイズの入力を受け付け設定している場合には、設定されている第２サイズを画像データの送信先の装置である画像受信装置２にて形成させる第２サイズとして判定し、ステップＳ７において第１サイズの入力を受け付けていない場合で、ステップＳ１７にて原稿として画像を読み取ったシートが複数であると判定したときには、ステップＳ１８にて最も大きいシートであると判定したサイズを第２サイズとして判定し、ステップＳ７において第１サイズの入力を受け付けていない場合で、ステップＳ１７にて原稿として画像を読み取ったシートが単数であると判定したときにはステップＳ１４にて判定した第１サイズを第２サイズとして判定する。
【００４９】
そして画像送信装置１では、機器制御部１０１の制御により、読み取った夫々の画像に関する第１サイズ及び第２サイズの大きさを比較し（ステップＳ２０）、比較により第２サイズが第１サイズより大きいと判定した場合（ステップＳ２０：ＹＥＳ）、ステップＳ６にて受け付けた送信形式の入力に基づいて、送信すべき第１サイズの画像を配置する所定の位置を決定する（ステップＳ２１）。
なおステップＳ６にて送信すべき画像を配置する位置を送信形式の入力として受け付けていない場合には、予め設定されている中央等の位置が所定の位置として決定される。
画像送信装置１では、機器制御部１０１の制御により、画像形成部１０４へ読取データとして送られた画像に基づいて、ステップＳ２１にて決定した所定の位置に送信すべき第１サイズの画像を同等の大きさで配置した第２サイズの画像の形成に用いる画像データを作成する（ステップＳ２２）。
なおステップＳ２２の画像データの作成において、ステップＳ６にて送信すべき画像を配置する箇所以外の背景を、送信形式の入力として受け付け、設定されている場合には、送信すべき画像を配置する箇所以外を設定された所定の模様又は色彩とした第２サイズの画像の形成に用いる画像データが作成される。
またステップＳ２２の画像データの作成において、ステップＳ６にて送信すべき画像を配置する箇所及び他の箇所の境界を、送信形式の入力として受け付け、設定されている場合には、送信すべき画像を配置する箇所及び他の箇所の境界を示した第２サイズの画像の形成に用いる画像データが作成される。
【００５０】
ステップＳ２０の比較により、第１サイズ及び第２サイズが同じか、又は第１サイズが第２サイズより大きいと判定した場合（ステップＳ２０：ＮＯ）、画像送信装置１では、機器制御部１０１の制御により、画像形成部１０４へ読取データとして送られた画像に基づいて、予め設定されている所定の規則に従い、例えば必要に応じて送信すべき画像を縮小した第２サイズの画像の形成に用いる画像データを作成する（ステップＳ２３）。
【００５１】
ステップＳ２２又はステップＳ２３にて作成された画像データは、揮発性記録部１０４ａに記憶され、揮発性記録部１０４ａに記憶された画像データは逐次不揮発性記録部１０５へ送られて不揮発性記録部１０５に記録され、全てのシートに対応する画像データが不揮発性記録部１０５に記録された段階で画像データを作成する処理が終了する。
【００５２】
そして画像送信装置１では、機器制御部１０１の制御により、不揮発性記録部１０５に記録された画像データを揮発性記録部１０４ａに記憶させ、揮発性記録部１０４ａに記憶させた画像データを通信部１０６から通信網ＮＷを介して、送信先情報により示される画像データの送信先の装置である画像受信装置２へ、画像データを送信する（ステップＳ２４）。
画像受信装置２では、画像データを受信し、受信した画像データに基づいて、コピー用紙等の第２サイズのシートに画像形成を行い出力する。
なお画像受信装置２がパーソナルコンピュータである場合には、シート上に画像形成を行うのではなく、モニタ等の表示手段に、画像データに基づく画像を表示する画像形成処理を行うようにしても良い。
【００５３】
図１９は本発明の画像送信装置１にて作成される複数の画像データに基づいて形成される複数の第２サイズの画像を示す説明図である。
なお原稿として画像を読み取ったシートが複数であり、複数のシートのサイズが統一されておらず、そのため第１サイズも統一されておらず、最も大きいシートが第２サイズと判定された場合、夫々のシートに対応する読取データ毎に第１サイズ及び第２サイズの比較が行われる。
従って作成された画像データにより第２サイズのシートに形成される画像は図１９に例示するように、ステップＳ２２にて作成された画像データに基づくものと、ステップＳ２３にて作成された画像データに基づくものとが混載された形となる。
図１９に示した例では、左から１枚目、２枚目及び４枚目のシートについては第１サイズ及び第２サイズが一致したため、原稿と同様のサイズのシートに画像が形成されており、３枚目のシートについては第２サイズが第１サイズより大きかったため、中央に原稿の画像が配置された画像が形成されている。
【００５４】
前記実施の形態では、シートから読取素子１０３により画像を読み取り、読み取った画像に基づいて画像データを作成する形態を示したが、本発明はこれに限らず、画像送信装置１にて形成された画像のデータ又は他の装置から受信した画像のデータに基づいて、夫々の画像のサイズと画像受信装置２へ送信すべき画像のサイズとを比較し、送信すべき画像データを作成するようにしても良い。
【００５５】
【発明の効果】
以上詳述した如く本発明に係る画像送信装置では、例えばＡ４版である第１サイズのシートから送信すべき第１サイズの画像を読み取り、第１サイズより大きいＢ４版である第２サイズのシートに画像形成させるための画像データを送信する場合に、第１サイズの画像を拡大した画像データの送信又は送信先の装置にて画像サイズを拡大するのではなく、第１サイズの画像と同等の大きさの画像を配置した第２サイズの画像、例えばＢ４版のシートの中央部にＡ４版の大きさの画像が示された画像を形成する画像データを作成し、送信先の装置へ送信することにより、画像データの送信先の装置では、受信した画像データに基づいて形成される画像中に含まれる元の画像に対応する画像の大きさが元の画像と同様であるため、元の画像の印象を変えない画像を送信先の装置にて画像形成することが可能であり、これにより送信者の意図を的確に受信者に伝えることが可能である等、優れた効果を奏する。
【００５６】
また本発明に係る画像送信装置では、Ａ４版、Ａ３版及びＢ４版等のサイズの異なる複数のシートに示された夫々の画像を読み取って画像データとして送信する場合に、最も大きいサイズ、例えばＡ３版を送信先の装置にて画像形成させる第２サイズであると判定し、判定した第２サイズに統一された画像データを形成し、送信先の装置へ送信することにより、画像データの送信先の装置にて形成される画像のサイズが統一されるので、形成された画像の管理等の取り扱いに関する利便性を向上させることが可能である等、優れた効果を奏する。
【図面の簡単な説明】
【図１】本発明の画像送信装置の外観を示す斜視図である。
【図２】本発明の画像送信装置が備える操作部を示す外観図である。
【図３】本発明の画像送信装置を用いた画像送信システムの構成を示すブロック図である。
【図４】本発明の画像送信装置の液晶表示部に表示される画面を示す説明図である。
【図５】本発明の画像送信装置の液晶表示部に表示される画面を示す説明図である。
【図６】本発明の画像送信装置の液晶表示部に表示される画面を示す説明図である。
【図７】本発明の画像送信装置の液晶表示部に表示される画面を示す説明図である。
【図８】本発明の画像送信装置の液晶表示部に表示される画面を示す説明図である。
【図９】本発明の画像送信装置の液晶表示部に表示される画面を示す説明図である。
【図１０】本発明の画像送信装置の液晶表示部に表示される画面を示す説明図である。
【図１１】本発明の画像送信装置の液晶表示部に表示される画面を示す説明図である。
【図１２】本発明の画像送信装置の液晶表示部に表示される画面を示す説明図である。
【図１３】本発明の画像送信装置の液晶表示部に表示される画面を示す説明図である。
【図１４】本発明の画像送信装置にて生成される画像データに基づいて形成される第２サイズの画像を示す説明図である。
【図１５】本発明の画像送信装置にて生成される画像データに基づいて形成される第２サイズの画像を示す説明図である。
【図１６】本発明の画像送信装置にて生成される画像データに基づいて形成される第２サイズの画像を示す説明図である。
【図１７】本発明の画像送信装置の処理を示すフローチャートである。
【図１８】本発明の画像送信装置の処理を示すフローチャートである。
【図１９】本発明の画像送信装置にて作成される複数の画像データに基づいて形成される複数の第２サイズの画像を示す説明図である。
【符号の説明】
１  画像送信装置
１０１  機器制御部
１０２  管理部
１０３  原稿読取部
１０４  画像形成部
１０５  不揮発性記録部
１０６  通信部
１０７  入出力制御部
２  画像受信装置
ＮＷ  通信網
【図１】
2004343251.tif 000003
【図２】
2004343251.tif 000004
【図３】
2004343251.tif 000005
【図４】
2004343251.tif 000006
【図５】
2004343251.tif 000007
【図６】
2004343251.tif 000008
【図７】
2004343251.tif 000009
【図８】
2004343251.tif 000010
【図９】
2004343251.tif 000011
【図１０】
2004343251.tif 000012
【図１１】
2004343251.tif 000013
【図１２】
2004343251.tif 000014
【図１３】
2004343251.tif 000015
【図１４】
2004343251.tif 000016
【図１５】
2004343251.tif 000017
【図１６】
2004343251.tif 000018
【図１７】
2004343251.tif 000019
【図１８】
2004343251.tif 000020
【図１９】
2004343251.tif 000021